(57)【要約】【課題】先端チップと入力ペンを把持する使用者の手が電気的に導通可能に構成できるとともに、滑りにくく非常に操作し易い入力ペンに使用できる。【解決手段】操作領域を入力ペンや指によって操作し、操作領域の操作部分の位置を静電容量変化に伴う電気量変化によって検出し、操作部分の位置を入力する入力装置に用いる入力ペン。この入力ペンの軸筒１の前部に導電性を有する先端チップを設ける。この軸筒１に導電性ゴムで構成したゴムグリップ７を取り付ける。前記先端チップとゴムグリップ７を電気的に導通可能に構成し、ゴムグリップ７を保持する手と先端チップが導通可能に構成される。【選択図】図１
2012088888.tif 000002
【特許請求の範囲】
【請求項１】
操作領域を入力ペンや指によって操作し、操作領域の操作部分の位置を静電容量変化に伴う電気量変化によって検出し、操作部分の位置を入力する入力装置に用いる入力ペンにおいて、軸筒の前部に導電性を有する先端チップを設け、かつ軸筒に導電性ゴムで構成したゴムグリップを取り付け、先端チップとゴムグリップを電気的に導通可能に構成し、ゴムグリップを保持する手と先端チップが導通可能に構成したことを特徴とする入力ペン。
【請求項２】
先端チップを導電性ゴムにより構成したことを特徴とする請求項１記載の入力ペン。
【請求項３】
軸筒の前部に導電性金属からなる先金を設け、この先金に先端チップを接触させるとともに先金にゴムグリップを接触させて、先端チップとゴムグリップを電気的に導通可能に構成したことを特徴とする請求項１又は２記載の入力ペン。
【請求項４】
軸筒を導電性合成樹脂で構成し、この軸筒に先端チップを取り付け、先端チップと軸筒に設けられたゴムグリップを電気的に導通可能に構成したことを特徴とする請求項１乃至３のいずれか１項に記載の入力ペン。
【発明の詳細な説明】
【技術分野】
【０００１】
本発明は、操作領域を入力ペンの先端チップで軽くなぞることにより、静電容量変化に伴う電気量変化によって位置を検出し、スムースなカーソル移動ができる入力装置に用いる入力ペンに関するものである。
【背景技術】
【０００２】
従来、導電性ゴムで構成された先端チップを軸筒の前部に取り付け、この軸筒を導電性金属により構成する。そして、軸筒を手で保持すれば、先端チップから使用者の手に電気的に導通する入力ペンが知られている。（特許文献１参照）
【０００３】
しかしながら、軸筒を金属で構成した場合には、滑り易く操作しにくいといった課題があった。
【先行技術文献】
【特許文献】
【０００４】
【特許文献１】特許第４１４２７７６号公報
【発明の概要】
【発明が解決しようとする課題】
【０００５】
解決しようとする問題点は、軸筒が滑り易く操作しにくいという点である。
【課題を解決するための手段】
【０００６】
本発明は、操作領域を入力ペンや指によって操作し、操作領域の操作部分の位置を静電容量変化に伴う電気量変化によって検出し、操作部分の位置を入力する入力装置に用いる入力ペンにおいて、軸筒の前部に導電性を有する先端チップを設け、かつ軸筒に導電性ゴムで構成したゴムグリップを取り付け、先端チップとゴムグリップを電気的に導通可能に構成し、ゴムグリップを保持する手と先端チップが導通可能に構成したことを最も主要な特徴とする。
【発明の効果】
【０００７】
本発明は、軸筒に導電性ゴムで構成したゴムグリップを取り付けることにより、手で保持した時に滑りにくく非常に操作し易いという利点が得られるものである。
【図面の簡単な説明】
【０００８】
【図１】図１は、本発明の実施例１の入力ペンを示す断面図である。（実施例１）
【図２】図２は、図１の入力ペンの先端チップを示す断面図である。（実施例１）
【図３】図３は、本発明の実施例２の入力ペンを示す断面図である。（実施例２）
【図４】図４は、図３の入力ペンの先端チップを示す断面図である。（実施例２）
【図５】図５は、本発明の実施例３の入力ペンを示す断面図である。（実施例３）
【図６】図６は、本発明の実施例４の入力ペンを示す断面図である。（実施例４）
【発明を実施するための形態】
【０００９】
先端チップから軸筒を保持する手に電気的に導通可能に構成でき、かつ手で保持した時に滑りにくく把持し易い入力ペンに用いることができる。
【実施例１】
【００１０】
以下、図１及び図２に基づいて本発明における実施例１の入力ペンを説明する。また、図１の左側を前方とし、右側を後方とする。合成樹脂製の軸筒１の後部にクリップ２を一体成形で構成し、この軸筒１の後端に尾栓３を圧入固着する。この軸筒１の前部に先端チップを取り付ける。先端チップは、図２に示したように、金属製又は合成樹脂製の芯部材４と、芯部材４の先端部に外嵌した比較的柔らかい弾性体５と、弾性体５に被着した０．１ｍｍから０．４ｍｍ程度の薄肉の導電性ゴムからなる外皮６により構成する。更に、軸筒１の把持部１Ａに導電性ゴムで構成されたゴムグリップ７を取り付ける。更に、軸筒１の先端に導電性金属で構成された先金８を着脱可能に螺合し、この先金８が先端チップの外皮６に接触するとともにゴムグリップ７の前端に接触する。
【００１１】
前記入力ペンのゴムグリップ７を手で保持すれば先金８を介して先端チップの外皮６に電気的に導通する。したがって、先端チップの外皮６が入力ペンを把持する使用者の手と同電位に維持される。
【００１２】
この入力ペンの先端チップを入力装置の操作領域に軽く押圧すれば、外皮６が変形して所定の接触面積が得られ、操作部分と使用者の手との間には、接触面積に依存した静電容量が形成される。この静電容量の変化に伴う電気量変化によって位置を検出し、先端チップの外皮６が接触した位置を入力する。
【実施例２】
【００１３】
以下、図３及び図４に基づいて本発明における実施例２の入力ペンを説明する。尚、図１と同一部材は同一の符号を付してその説明を省略する。先端チップは、図４に示したように、黄銅等の導電性を有する金属部材で固定部材９を構成する。次に、比較的柔らかい弾性体１５と、弾性体１５に被着した０．１ｍｍから０．４ｍｍ程度の薄肉の導電性ゴムからなる外皮１６を前記固定部材９の前部９Ａに挿入し、外側から前部９Ａをカシメて固定部材９に弾性体１５及び外皮１６を固着する。この固定部材９を導電性金属で構成された先金１８に圧入固着し、弾性体１５及び外皮１６の先端を先金１８から突出させて構成する。更に、軸筒１の先端に前記先金１８を着脱可能に螺合し、この先金１８をゴムグリップ７の前端に接触する。
【００１４】
前記入力ペンのゴムグリップ７を手で保持すれば先金１８及び固定部材９を介して外皮１６に電気的に導通する。したがって、先端チップの外皮１６が入力ペンを把持する使用者の手と同電位に維持される。
【実施例３】
【００１５】
以下、図５に基づいて本発明における実施例３の入力ペンを説明する。尚、図１と同一部材は同一の符号を付してその説明を省略する。軸筒１１の前部に先端チップ１０を着脱可能に螺合して取り付け、先端チップ１０の後端にゴムグリップ７を接触させる。前記先端チップ１０は導電性ゴムにより構成する。
【実施例４】
【００１６】
以下、図６に基づいて本発明における実施例４の入力ペンを説明する。クリップ２を一体に成形した軸筒２１を、カーボン系高導電性ポリマー等の導電性樹脂で構成する。この軸筒２１の把持部２１Ａに導電性ゴム製のゴムグリップ１７をインサート成形あるいは２色成形により構成する。更に、軸筒２１の前部に導電性ゴム製の先端チップ１１０を取り付ける。
【００１７】
前記入力ペンのゴムグリップ１７を手で保持すれば軸筒２１を介して先端チップ１１０に電気的に導通する。したがって、先端チップ１１０が入力ペンを把持する使用者の手と同電位に維持される。
【００１８】
尚、本発明は上記実施例に限定されるものではなく、軸筒は複数の部材を固着して一体化し構成することも可能である。また、先端チップも上記実施例に限定されるものではなく、導電性を有していれば従来知られている種々の構成が考えられる。更に、導電性ゴムは、天然ゴム、ニトリルゴム、シリコンゴム等の中にカーボンブラックあるいは金属等の導電剤を大量に入れて構成するが、比較的柔らかい導電性ゴムを用いることが好ましい。
【産業上の利用可能性】
【００１９】
先端チップと入力ペンを把持する使用者の手が同電位に維持されるとともに、滑りにくく非常に操作し易い入力ペンに適用できる。
【符号の説明】
【００２０】
１    軸筒
７    ゴムグリップ
８    先金
１０    先端チップ
１１    軸筒
１７    ゴムグリップ
２１    軸筒
１１０    先端チップ
【図１】
2012088888.tif 000003
【図２】
2012088888.tif 000004
【図３】
2012088888.tif 000005
【図４】
2012088888.tif 000006
【図５】
2012088888.tif 000007
【図６】
2012088888.tif 000008